(57)【特許請求の範囲】
【請求項１】
天井等の室内外を隔てる仕切構造に開口させた取付穴に組込まれ、室内側に開口する吸込口から室内の空気を吸込み、同室内に開口する吹出口から吸込んだ室内の空気を吹出す循環用送風機と、この循環用送風機の吹出し気流を昇温する電気ヒーターとを備えた温風装置であって、その温風装置の本体外殻の下面に延出させた取付フランジに、前記仕切構造の取付穴より長尺の直管型の輻射ヒーターで構成した輻射暖房器を装着した温風装置。
【請求項２】
請求項１に記載の温風装置であって、本体外殻の下面に、本体外殻下面を輻射暖房器ごと覆う着脱可能の化粧グリルを装着した温風装置。
【請求項３】
請求項２に記載の温風装置であって、化粧グリルの内側に熱反射率の高い材料で形成した熱反射板を内張りした温風装置。
【請求項４】
請求項１〜請求項３までのいずれかに記載の温風装置であって、輻射暖房器のリード線口出部を金属カバーで被覆した温風装置。
【請求項５】
請求項１〜請求項４までのいずれかに記載の温風装置であって、輻射暖房器を、その輻射ヒーターの前面以外を囲む箱型に構成するとともに、同輻射ヒーターの背面側に循環用送風機の送風の一部を流通させる風路を設けた温風装置。
【請求項６】
請求項１〜請求項５までのいずれかに記載の温風装置であって、輻射ヒーターの背面側に仕切構造の取付穴に対して角度を持たせた曲面構造の反射板を設け、目的とする方向へ輻射熱を放射するようにした温風装置。
【請求項７】
請求項１〜請求項６までのいずれかに記載の温風装置であって、輻射ヒーターの下面側に帯状に保護手段を横架した温風装置。
【請求項８】
請求項１〜請求項７までのいずれかに記載の温風装置であって、室内の空気を排気する排気換気装置を組込んだ温風装置。
【請求項９】
請求項１〜請求項７までのいずれかに記載の温風装置であって、室内の空気を排気する排気用換気装置を併設し、併設するその排気用換気装置に電源を供給する電源供給制御手段を設けた温風装置。
【請求項１０】
請求項１〜請求項９までのいずれかに記載の温風装置を備えた温風装置付きユニットバス。
【発明の詳細な説明】
【０００１】
【発明の属する技術分野】
本発明は、主として浴室や洗面所などの室内を暖房する温風装置及び温風装置付きユニットバスに関するものである。
【０００２】
【従来の技術】
ユニットバスの普及とともに浴室や洗面所等の多機能化が進んでいる。そうした中で、例えば特開昭６３―７７４９８号公報、特開平４―２４０４９５号公報、実開平６―３８８９５号公報に示されているように、浴室の浴室としての快適性の向上を図るとともに、浴室を乾燥雰囲気にして衣類等の乾燥室としても利用できるようにした装置も開発されている。
【０００３】
こうした装置の暖房装置は、室内外を仕切る天井等の仕切構造に設けられた取付穴に装着され、基本的には室内の空気を循環させる循環送風機と電気ヒーターとにより構成された温風装置であり、生成した温風を攪拌しながら循環させ効率よく室内を暖房雰囲気にすることができる。浴室については、入浴時の濡れた体に循環送風機による気流が当ると体温が奪われ、冷風感を醸すことになるため、入浴時には冷風感のない輻射熱を放射するように図９や図１０に示すような輻射ヒーター４０を備えたものもある。
【０００４】
図９に示した暖房装置では、温風暖房機の本体４１に直管状の輻射ヒーター４０が組込まれ、図１０に示した暖房装置では温風暖房機の本体４１に装着される化粧グリル４２に輻射ヒーター４０が設けられている。前者は、長尺で大容量の輻射ヒーター４０を組込む場合、本体４１の寸法を大きくしなくてはならず、天井等の室内外を隔てる仕切構造に開口させる取付穴も大きくしなくてはならない。その点後者は、本体４１の寸法を変えず、従って、仕切構造の取付穴の寸法も大きくしないで、長尺の大容量の輻射ヒーター４０を採用することができる。
【０００５】
【発明が解決しようとする課題】
上記のような従来の化粧グリル４２に輻射ヒーター４０を設けたものでは、輻射ヒーター４０を設けた化粧グリル４２が重量物となるため、着脱可能の化粧グリル４２の本体４１への保持構造が複雑になり、化粧グリル４２の着脱性が悪くなるうえ、化粧グリル４２の着脱に際しては、本体４１と化粧グリル４２側との電気的な接続をコネクタの接続／解除といった面倒な操作を要するといった問題点が有る。
【０００６】
本発明は上記した従来の問題点を解消するためになされたもので、その課題とするところは、本体の基本的大きさを変えることなく、長尺の大容量の輻射ヒーターを具備させることができ、化粧グリルの着脱性も良く、保守点検し易い温風装置を得ることである。また、その温風装置の性能機能の向上を図ること、さらにはその温風装置を備えたユニットバスを提供することも課題としている。
【０００７】
【課題を解決するための手段】
前記課題を達成するために請求項１の発明は、天井等の室内外を隔てる仕切構造に開口させた取付穴に組込まれ、室内側に開口する吸込口から室内の空気を吸込み、室内に開口する吹出口から吸込んだ室内の空気を吹出す循環用送風機と、循環用送風機の吹出し気流を昇温する電気ヒーターとを備えた温風装置について、その温風装置の本体外殻の下面に延出させた取付フランジに、仕切構造の取付穴より長尺の直管型の輻射ヒーターで構成した輻射暖房器を装着する手段を採用する。
【０００８】
前記課題を達成するために請求項２の発明は、請求項１に係る前記手段における本体外殻の下面に、本体外殻下面を輻射暖房器ごと覆う化粧グリルを着脱可能に装着する手段を採用する。
【０００９】
前記課題を達成するために請求項３の発明は、請求項２に係る前記手段における化粧グリルの内側に、熱反射率の高い材料で形成した熱反射板を内張りする手段を採用する。
【００１０】
前記課題を達成するために請求項４の発明は、請求項１〜請求項３までのいずれかに係る前記手段における輻射暖房器のリード線口出部を金属カバーで被覆する手段を採用する。
【００１１】
前記課題を達成するために請求項５の発明は、請求項１〜請求項４までのいずれかに係る前記手段における輻射暖房器を、その輻射ヒーターの前面以外を囲む箱型に構成するとともに、輻射ヒーターの背面側に循環用送風機の送風の一部を流通させる風路を設ける手段を採用する。
【００１２】
前記課題を達成するために請求項６の発明は、請求項１〜請求項５までのいずれかに係る前記手段における輻射ヒーターの背面側に、仕切構造の取付穴に対して角度を持たせた曲面構造の反射板を設け、目的とする方向へ輻射熱を放射するようにする手段を採用する。
【００１３】
前記課題を達成するために請求項７の発明は、請求項１〜請求項６までのいずれかに係る前記手段における輻射ヒーターの下面側に、帯状に保護手段を横架する手段を採用する。
【００１４】
前記課題を達成するために請求項８の発明は、請求項１〜請求項７までのいずれかに係る前記手段における温風装置に、室内の空気を排気する排気用換気装置を組込む手段を採用する。
【００１５】
前記課題を達成するために請求項９の発明は、請求項１〜請求項７までのいずれかに係る前記手段における温風装置に、室内の空気を排気する排気用換気装置を併設し、併設するその排気用換気装置に電源を供給する電源供給制御手段を設ける手段を採用する。
【００１６】
前記課題を達成するために請求項１０の発明は、請求項１〜請求項９までのいずれかに係る前記温風装置をユニットバスに装備させる手段を採用する。
【００１７】
【発明の実施の形態】
実施の形態１．
図１〜図５に示すこの実施の形態１の温風装置は、図１に示すようにユニットバス１の天井等の仕切構造２に埋設され、浴室３の空気を昇温しながら送風して浴室３内に循環気流を形成し浴室３内を暖房するものである。温風装置は、図３の構成図で示すように浴室３内側にそれぞれ開口する吸込口４と吹出口５とを下部に有する箱型の本体外殻６の内部に循環用送風機７が組込まれ、循環用送風機７により浴室３内の空気を吸込口４から吸込んで吹出口５から再び浴室３内へ吹出すように構成され、吹出し空気を昇温する発熱量の大きな電気ヒーター８が循環用送風機７の吹出し側の風路中に設けられている。本体外殻の下面には、仕切構造２の天井板や野縁に固定するための取付フランジ１１が外方へ延出されている。
【００１８】
電気ヒーター８は、図４に示すように螺旋コイル状に構成され、二本を対にして固定金具９にその螺旋コイル状の中心線が循環用送風機７の吹出し方向に沿うように並んで、浴室３内への吹出口５に臨んで配設され、固定金具９とともに加熱ユニット１０として構成されている。各電気ヒーター８は、固定金具９に開けられた取付孔に両端から延び出す電源リード線が通され、両端間に差し渡された当て板を介して両端部において固定部品で本体外殻６の天面に狭持されて取付けられている。
【００１９】
固定金具９には、図４に示すように循環用送風機７の吹出口を除き電気ヒーター８を囲む熱障壁１６が設けられ、固定金具９及び熱障壁１６と本体外殻６との間は断熱空気層が形成されている。断熱空気層は、本体外殻６の天面に設けられた内方へ突出する突出部に固定金具９が当るように本体外殻６の浴室３側からの天面に対するネジ付けによって形成されている。本体外殻６の天面の突出部は、二本の電気ヒーター８の各両端間にわたって二列形成され、各電源リード線を挿通するための引出口としてスリットが設けられている。このスリットにより、加熱ユニット１０の本体外殻６への組付けは、隠れる電源リード線及びコネクタの挿通が容易になり組付性が向上する。
【００２０】
本体外殻６の吸込口４と吹出口５の並ぶ方向の片側の取付フランジ１１には、図２及び図５に示すようにユニット構成の輻射暖房器１２が室内側に突出する状態に装着されている。輻射暖房器１２は、仕切構造２の取付穴２１より長尺で直管型の大容量の平行な二本の輻射ヒーター１３を、その輻射ヒーター１３の前面以外を箱型の外殻で覆った構成が採られている。外殻は、取付フランジ１１に当て沿って取付フランジ１１に固定される固定板１４と、各輻射ヒーター１３の両端を保持する側板１５と、輻射ヒーター１３の外側を室内側に突出して覆うカバー１７とから構成されている。
【００２１】
外殻内には、輻射ヒーター１３の背後において側板１５間に斜めに遮蔽板１８が装架され、この遮蔽板１８と輻射ヒーター１３との間に、仕切構造２の取付穴２１に対して全体として４５度程度の角度を持たせた曲面構造の反射板１９が設けられている。輻射ヒーター１３の背面側には、循環用送風機７の送風の一部を流通させる風路２０が、図５に示すように遮蔽板１８と固定板１４との間に構成され、この風路２０の出口２３はカバー１７の略中央に開けられている。輻射ヒーター１３の両端のリード線口出部は、側板１５にネジ締結された金属カバー３５で覆われ、リード線口出部の保護が図られている。各輻射ヒーター１３の下面側には断面皿状の帯形態のヒーター保護部３６が横架されている。内側の輻射ヒーター１３のヒーター保護部３６は、側板１５間に装架されているが、外側の輻射ヒーター１３のヒーター保護部３６は、カバー１７の下端がＬ字状に内側に曲げられてカバー１７に一体に構成されている。このヒーター保護部３６は、輻射暖房器１２の取付け時や取扱い時に輻射ヒーター１３に工具や器物が当って破損することを防止する。
【００２２】
本体外殻６の室内側は、輻射暖房器１２を含め耐熱材料で構成された化粧グリル３７で被覆されている。化粧グリル３７は、輻射暖房器１２側の立寸法の高い傾斜構造となっていて、その側面において、本体外殻６の取付フランジ１１と輻射暖房器１２の固定板１４とに設けた取付部材３８にネジ締めにより着脱可能に装着されている。化粧グリル３７の通風部を構成しているグリル部分における輻射暖房器１２部分に対応する内側には、熱反射率の高い材料で形成した熱反射板３９が内張りされていて、化粧グリル３７の過熱が防止されている。なお、本実施の形態の温風装置においては、循環用送風機７及び電気ヒーター８を２００Ｖの電圧定格とし、輻射ヒーター１３を１００Ｖの電圧定格のもの二本を直列に接続して構成されている。
【００２３】
ユニットバス１には、図１に示すように浴槽２２の上方の仕切構造２に輻射ヒーター１３の反射板１９による輻射中心Ｓが、洗場の床面に対して略４５度の角度となるように設置される。ユニットバス１は、奥行き２１００ｍｍタイプと２５００ｍｍタイプに大別されるが、反射板１９の角度を４５度程度に設定することによって、いずれのタイプのユニットバスに対しても洗場を輻射暖房領域におくことができる。
【００２４】
本体外殻６の天面の外に引出された電気ヒーター８及び輻射暖房器１２の電源リード線は、本体外殻６の天面上に構成された回路ボックス２４内の制御回路２５に接続されている。制御回路２５には運転指示を行うリモコン２６が接続され、リモコン２６の操作で運転指示が行われる。
【００２５】
この温風装置においてリモコン２６により入浴前暖房が指示されると、制御回路２５は、循環用送風機７を運転させ、二本の電気ヒーター８に給電する。発熱量の大きな二本の電気ヒーター８の熱は、循環用送風機７の吹出し気流を昇温し、浴室３内に吹出口５から吹出され、循環されて効率良く、迅速に浴室３内を暖房雰囲気にする。浴室３内が暖房雰囲気になり、入浴に当り入浴中暖房の指示をリモコン２６で指示すると、制御回路２５により輻射暖房器１２の運転に切換えられ、循環用送風機７は微風運転し電気ヒーター８の運転は停止される。これにより、輻射ヒーター１３からの遠赤外線の輻射熱が洗場に向かって輻射される。循環用送風機７は微風運転のため身体までは届かず、濡れた身体でも冷風感のない快適な浴室暖房が実現する。勿論、入浴前暖房を指示せず、入浴時に入浴中暖房を直接指示することもできる。このようにこのユニットバス１によれば、大容量のヒーターにより暖房の立上がりが速く、しかも、濡れた身体でも冷風感のない暖房が実現する浴室３が得られる。
【００２６】
発熱量の大きい輻射ヒーター１３でも、風路２０により循環用送風機７の送風が背面側を流れカバー１７中央の出口２３に向って流れ、放熱されるため、輻射ヒーター１３の背面構造を簡素化することができその分、輻射暖房器１２の室内側への突出量を小さくすることができる。輻射暖房器１２を取付ける本体外殻６の取付フランジ１１の幅が狭い場合には、輻射暖房器１２の固定板１４を本体外殻６の取付フランジ１１に一体化すればよく、本体外殻６の寸法を変えないで大容量の直管状の輻射ヒーター１３による快適な暖房が実現できる。化粧グリル３７は、単独のパネル構成であるため、本体外殻６への保持もこれまで同様の簡易な構成ですみ、化粧グリル３７の着脱性は良好であり、化粧グリル３７の着脱に際し、本体外殻６側と化粧グリル３７側との電気的な接続はないので面倒な操作を要しない。
【００２７】
実施の形態２．
図６〜図８に示すこの実施の形態２は、実施の形態１で示した温風装置に、排気用換気装置を組込むか併設することによって、浴室等を乾燥雰囲気にすることができるようにしたものであり、排気用換気装置に係る構成以外は実施の形態１で示したものと同じである。従って、実施の形態１のものと同じ部分については同一の符号を用い、それらについての説明は省略する。
【００２８】
本実施の形態の温風装置は、図６に示すように本体外殻６内に排気用換気装置２８が組込まれている。排気用換気装置２８は、浴室３内の空気を浴室３外へ排気する機能を果たす。また、図７に示すように温風装置とは別に排気用換気装置２８を併設する。この場合、温風装置は、２００Ｖの電源２７で駆動するように構成されていて、ユニットバス１の浴室３あるいは洗面所などを乾燥室として機能させるための排気用換気装置２８は、その多くが１００Ｖの電源２９で駆動する。併設する排気用換気装置２８には１００Ｖの電源線３０が接続される。２００Ｖの電源２７に接続された温風装置の制御回路２５には電源供給制御手段が設けられている。
【００２９】
この電源供給制御手段は、図８に示すように排気用換気装置２８に１００Ｖの電源２９を供給する電源渡り線３１に挿入された常開型のリレースイッチ３２と、１００Ｖの電源部の電圧を検知する電圧検知手段３３で構成されている。温風装置の制御回路２５は、電圧検知手段３３の電圧値を監視していて、１００Ｖの電圧値の場合、リレースイッチ３２を動作させず開成状態にしている。誤配線等で１００Ｖを超える電圧値が電圧検知手段３３で検知された場合にも制御回路２５は、リレースイッチ３２を動作させず、リモコン２６の表示手段３４に誤配線であることを示す表示を行う。
【００３０】
浴室３等を乾燥させる場合、リモコン２６により浴室乾燥を指示する。これにより、制御回路２５は、輻射暖房器１２は停止したまま循環用送風機７を運転させ、二本の電気ヒーター８を動作させるとともにリレースイッチ３２を閉成させて排気用換気装置２８を運転させる。これにより、浴室３内は温風の循環による水分の蒸発と、排気用換気装置２８による水蒸気の排出により速やかに乾燥雰囲気となり、浴室３を衣類等の乾燥室として使用することができる。排気用換気装置２８のみの運転指示がリモコン２６でなされた場合には、制御回路２５はリレースイッチ３２を閉成して排気用換気装置２８のみを運転させる。このような電源供給制御手段を設けることによって、制御回路２５で１００Ｖ電源を生成する必要がなく、制御回路２５の構成を簡素にでき、誤配線等による装置の破損も防止することができる。これ以外の機能は実施の形態１のものと同じである。
【００３１】
【発明の効果】
請求項１の発明によれば、本体外殻の基本的大きさを変えることなく、長尺の大容量の輻射ヒーターを具備させることができ、保守点検し易い温風装置が得られる。
【００３２】
請求項２の発明によれば、請求項１に係る前記効果とともに化粧グリルの着脱性の良い温風装置が得られる。
【００３３】
請求項３の発明によれば、請求項２に係る前記効果とともに化粧グリルの過熱を防止できる。
【００３４】
請求項４の発明によれば、請求項１〜請求項３までのいずれかに係る前記効果とともに設置作業がし易くなる。
【００３５】
請求項５の発明によれば、請求項１〜請求項４までのいずれかに係る前記効果とともに輻射暖房器の背面構造を簡素化できる。
【００３６】
請求項６の発明によれば、請求項１〜請求項５までのいずれかに係る前記効果とともにユニットバスへの適用性が向上し、目的とする方向へ輻射熱を放射することができる。
【００３７】
請求項７の発明によれば、請求項１〜請求項６までのいずれかに係る前記効果とともに輻射ヒーターの破損を防止することができる。
【００３８】
請求項８の発明によれば、請求項１〜請求項７までのいずれかに係る前記効果とともに室内を乾燥雰囲気にする機能を付加できる。
【００３９】
請求項９の発明によれば、請求項１〜請求項７までのいずれかに係る前記効果とともに、排気用換気装置を併設でき浴室等を乾燥雰囲気にすることができる。
【００４０】
請求項１０の発明によれば、請求項１〜請求項９までのいずれかに係る前記効果を持つユニットバスが得られる。
【図面の簡単な説明】
【図１】  実施の形態１の温風装置を取付けたユニットバスを示す断面構成図である。
【図２】  実施の形態１の温風装置の斜視図である。
【図３】  実施の形態１の温風装置の構成図である。
【図４】  実施の形態１の温風装置の加熱ユニットを示す斜視図である。
【図５】  実施の形態１の温風装置の断面構成図である。
【図６】  実施の形態２の温風装置の断面構成図である。
【図７】  実施の形態２の他の温風装置の断面構成図である。
【図８】  実施の形態２の温風装置の制御系を示す構成図である。
【図９】  従来の温風装置の断面構成図である。
【図１０】  従来の他の温風装置の断面構成図である。
【符号の説明】
１  ユニットバス、  ２  仕切構造、  ４  吸込口、  ５  吹出口、  ６  本体外殻、  ７  循環用送風機、  ８  電気ヒーター、  １１  取付フランジ、  １２  輻射暖房器、  １３  輻射ヒーター、  ２０  風路、  ２５  制御回路、２８  排気用送風装置、  ３２  リレースイッチ、  ３３  電圧検知手段、  ３５  金属カバー、  ３６  ヒーター保護部、  ３７  化粧グリル、  ３９  熱反射板。
【図１】
0003698117.tif 000002
【図２】
0003698117.tif 000003
【図３】
0003698117.tif 000004
【図４】
0003698117.tif 000005
【図５】
0003698117.tif 000006
【図６】
0003698117.tif 000007
【図７】
0003698117.tif 000008
【図８】
0003698117.tif 000009
【図９】
0003698117.tif 000010
【図１０】
0003698117.tif 000011